(57)【特許請求の範囲】
【請求項１】
次のａ，ｂ，ｃ，ｄ，ｅの構成要素を備えてなる海水販売機。
ａ．コイン投入口１１より投入されたコインを回収側か返却側かに振り分けるためにコイン通路を切り換えるコイン通路切換部１２と、コイン投入口より投入されたコインを検知し、コイン検知信号を制御手段に送出するコイン選別部１３を備えて成るコインユニツト１０。
ｂ．海水の販売が可能であるか否かを表示する販売可否情報部２１と、海水を販売中に操作手段が操作されると給水中であることを表示する給水表示部２４と、給水量を表示する給水量カウンタ２５を備えてなる販売状態表示手段２０。
ｃ．前記コインユニットがコインを検知した後に操作すると給水開始信号を制御手段に送出する操作手段３０。
ｄ．給水される海水量の流量を計測し計測信号を制御手段に送出する流量計４１と、配管内部を自動洗浄する際の洗浄開始時刻と洗浄時間を記憶し、洗浄開始時刻になると洗浄開始信号を制御手段に送信し、洗浄開始時刻より洗浄時間経過すると洗浄終了信号を制御手段に送信する洗浄排水用タイマ４２と、前記操作手段より送出される給水開始信号が入力すると開成し規定の海水量が供給されて給水が終了すると閉成する給水弁４３と、洗浄開始時刻になると開成し洗浄開始時刻より洗浄時間経過すると閉成する洗浄排水弁４４を備えて成る給排水手段４０。
ｅ．前記コインユニットを構成するコイン通路切換部の切換え制御を行ない、海水の販売を中止するとき、自動洗浄時にあるとき、メンテナンスモードにあるときには、コイン通路をコイン返却側に切り換える切換信号をコイン通路切換部に送出するとともに、前記販売状態表示手段２０の販売状態の表示制御を行い、かつ、前記給排水手段４０の給水弁並びに洗浄排水弁の開閉制御を行う制御手段５０。
【発明の詳細な説明】
【０００１】
【発明の属する技術分野】
本発明は、海水を自動販売する海水販売機に関するものである。
【０００２】
【従来の技術】
（発明の背景）
腸炎ビブリオによる食中毒防止対策のため、切り身・むき身の生食用鮮魚介の加工、かにの加工（ゆでかに）、たこの加工（ゆでだこ）、生食用かきの加工等にあたって海水を使用する場合は清浄海水（殺菌海水又は人工海水）を使用することが求められてきている。
【０００３】
（従来技術）
従来、ビール、清涼飲料、たばこ、お米等の物品を販売する自動販売機は知られているが、所定量の清浄海水（殺菌海水、人工海水）を販売する自動販売機は提案されていない。
【０００４】
【発明が解決しようとする課題】
したがって、本発明の目的は、殺菌海水や人工海水を販売する海水販売機を提供することにある。
【０００５】
本発明の他の目的は、例えば、毎日配管内部の自動洗浄を行うことにより常にクリーンな海水を提供する海水販売機を提供することにある。
【０００６】
【課題を解決するための手段】
本発明は、次のａ，ｂ，ｃ，ｄ，ｅの構成要素を備えてなる海水販売機である。
ａ．コイン投入口より投入されたコインを回収側か返却側かに振り分けるためにコイン通路を切り換えるコイン通路切換部と、コイン投入口より投入されたコインを検知し、コイン検知信号を制御手段に送出するコイン選別部を備えて成るコインユニツト。
ｂ．海水の販売が可能であるか否かを表示する販売可否情報部と、海水を販売中に操作手段が操作されると給水中であることを表示する給水表示部と、給水量を表示する給水量カウンタ２５を備えてなる販売状態表示手段。
ｃ．前記コインユニットがコインを検知した後に操作すると給水開始信号を制御手段に送出する操作手段。
ｄ．給水される海水量の流量を計測し計測信号を制御手段に送出する流量計と、配管内部を自動洗浄する際の洗浄開始時刻と洗浄時間を記憶し、洗浄開始時刻になると洗浄開始信号を制御手段に送信し、洗浄開始時刻より洗浄時間経過すると洗浄終了信号を制御手段に送信する洗浄排水用タイマと、前記操作手段より送出される給水開始信号が入力すると開成し規定の海水量が供給されて給水が終了すると閉成する給水弁と、洗浄開始時刻になると開成し洗浄開始時刻より洗浄時間経過すると閉成する洗浄排水弁を備えて成る給排水手段。
ｅ．前記コインユニットを構成するコイン通路切換部の切換え制御を行ない、海水の販売を中止するとき、自動洗浄時にあるとき、メンテナンスモードにあるときには、コイン通路をコイン返却側に切り換える切換信号をコイン通路切換部に送出するとともに、前記販売状態表示手段の販売状態の表示制御を行い、かつ、前記給排水手段の給水弁並びに洗浄排水弁の開閉制御を行う制御手段。
【０００７】
【発明の実施の形態】
【実施例】
本発明に係る海水販売機の実施例について、図１乃至図６を参照しながら説明する。
図１は、本発明に係る海水販売機の正面略図、
図２は、海水販売機の側面略図、
図３は、海水販売機の前面扉を取払い、給水時の海水の流れを付記した海水販売機の正面略図、
図４は、海水販売機の前面扉を取払い、洗浄排水時の海水の流れを付記した海水販売機の正面略図、
図５は、海水販売機の前面パネルに組み込まれたコインユニット、販売状態表示手段、操作手段を示す拡大正面略図、
図６は、海水販売機の構成を示すブロック図である。
【０００８】
これらの図において、本発明に係る海水販売機１は、海水をろ過殺菌する海水ろ過殺菌清浄装置７０より送られる清浄な海水を販売するため、コインユニット１０と、販売状態表示手段２０と、操作手段３０と、給排水手段４０と、制御手段５０と、防犯手段６０を備えている。
【０００９】
このうち前記コインユニット１０は、コイン投入口１１と、コイン通路切換部１２と、コイン選別部１３と、回収箱１４と、返却口１５を具備している。
【００１０】
前記コイン投入口１１は専用コイン投入口として形成され、専用コインより外形が大きいもの、厚いものは投入できないように形成されている。
【００１１】
前記コイン通路切換部１２は、前記コイン投入口１１より投入された専用コインを回収側か返却側かに振り分けるためコイン通路１６を切り換える。すなわち、
▲１▼海水販売機１が海水の販売を中止しているとき、
［（イ）海水ろ過殺菌清浄装置７０自体が故障しているとき；（ロ）海水ろ過殺菌清浄装置７０を構成する処理海水貯蓄タンクの水位が低下し所定量以上の海水がないとき；（ハ）送水ポンプが故障しているとき；には海水ろ過殺菌清浄装置７０より前記制御手段５０に販売中止信号が送出され、海水販売機１は海水の販売を中止する。］
▲２▼海水販売機１が自動洗浄時にあるとき、
▲３▼海水販売機１がメンテナンスモードにあるとき、
には前記制御手段５０は切換信号を前記コイン通路切換部１２に送出し、前記コイン通路切換部１２は返却側に切換えられる（前記制御手段５０は海水の販売を中止するときには、前記コイン通路切換部１２にコイン通路をコイン返却側に維持する信号を送出する。）。したがって、このときにコイン投入口１１より専用コインが投入されても、専用コインは返却側コイン通路１７Ｂを通り返却口１５に導かれる。
【００１２】
前記コイン選別部１３は、前記コイン投入口１１より投入されたコインを検知し、投入されたコインが真正（専用）なコインである場合にはコイン検知信号を前記制御手段５０に送出する。コイン投入口１１から投入されたコインが専用コインでない場合にはそのコインは返却口１５に導かれる。
【００１３】
符号１４は選別された専用コインを回収する回収箱であり、引出し式に形成されている。１５はコイン投入口１１を通過した専用コイン以外のコイン、あるいは販売中止時等に前記コイン通路切換部１２が返却側に切換えられているときに投入された専用コインを返却するたことに寄与する返却口である。
【００１４】
前記販売状態表示手段２０は、販売可否情報部２１、給水表示部２４、給水量カウンタ２５を備えている。
【００１５】
前記販売可否情報部２１は、販売可能ランプ２２と、販売中止ランプ２３を備え、海水の購入が可能か（販売中か）、海水の販売が中止中にあるかを表示し、購入者が販売の可否を視認できるよう構成されている。すなわち、前記購入可能ランプ２２は、海水の販売が可能なときに点灯し、海水ろ過殺菌清浄装置７０より前記制御手段５０に販売中止信号が入力したとき、海水販売機１が自動洗浄時にあるとき、あるいはメンテナンスモードにあるときには消灯している。一方、前記販売中止ランプ２３は、海水の販売が可能であるときには消灯し、海水ろ過殺菌清浄装置７０より前記制御手段５０に販売中止信号が入力したとき、あるいは自動洗浄時にあるときに点灯する。
【００１６】
前記給水表示部２４は、海水の販売が可能なときに海水販売機１のコイン投入口１１より専用コインが投入され、前記操作手段３０が操作されるとランプが点灯し給水中であることを表示する。給水が終了すると前記給水表示部２４のランプは消灯する。
【００１７】
前記給水量カウンタ２５は、給水量をカウント表示し、投入された専用コインの枚数に応じて１枚毎に設定されているカウント数が加算されて表示され、給水中は１リットル毎に１カウントずつ減算される。なお、前記操作手段３０を長押し操作（１０秒程度の押圧操作）すると、前記制御手段５０のモードが給水モードからメンテナンスモードに切り換わり”９９９９”と表示される。このメンテナンスモードにおいて、係員は海水販売機１の内部点検や専用コインの回収を行なう。
【００１８】
前記操作手段３０は押ボタン式の操作子により形成され、海水販売機１が海水販売中の状態にあるときに海水購入者が専用コインを投入し、前記給水量カウンタ２５にカウント数が表示されてからこの操作手段３０を押圧操作すると、給水開始信号が前記制御手段５０に送出され給水が開始される。前記操作手段３０を長押し操作すると、上記のとおり、前記制御手段５０のモードが給水モードからメンテナンスモードに切り換わる。また、前記制御手段５０のモードがメンテナンスモードにあるときに、前記操作手段３０を長押し操作すると、メンテナンスモードから給水モードに切り換わる。
【００１９】
前記給排水手段４０は、給水される海水量の流量を計測し計測信号を前記制御手段５０に送出する流量計４１と、洗浄排水用タイマ４２と、給水弁４３と、洗浄排水弁４４を備えている。
【００２０】
前記流量計４１は、１リットル給水される毎に１カウントの計測信号を前記制御手段５０に送出する。
【００２１】
前記洗浄排水用タイマ４２は、１日１回決められた時刻に前記給排水手段４０が設定時間だけ配管内部を自動洗浄する際の洗浄開始時刻と洗浄時間を記憶し、洗浄開始時刻になると洗浄開始信号を前記制御手段５０に送信し、洗浄開始時刻より洗浄時間を経過すると洗浄終了信号を前記制御手段５０に送信する。
【００２２】
前記給水弁４３は、前記制御手段５０により制御される自動バルブとして形成され、前記操作手段３０より送出される給水開始信号が入力すると開成し、規定量の海水が供給されて給水が終了すると閉成する。自動洗浄時には、前記洗浄排水弁４４が開成してから前記給水弁４３は開き、配管を洗浄しながら余剰海水は外部に排水される。
【００２３】
前記洗浄排水弁４４は、通常時は閉じており、洗浄開始時刻になると開成し、洗浄開始時刻より洗浄時間経過すると閉成する。この洗浄排水弁４４も前記給水弁４３と同様に自動バルブとして形成されている。
【００２４】
前記防犯手段６０は、扉開開閉感知センサ６１と、防犯ベル６２と、回転灯６３を備えている。前記扉開閉感知センサ６１は、海水販売時に海水販売機１の筐体２の前面扉３がこじ開けられると感知信号を外部の警備会社８０に送出する。さらに、海水販売時に前面扉３がこじ開けられると、前記防犯ベル６２と回転灯６３も作動し現場の係員に異常を報知する。なお、海水販売機１がメンテナンスモードになると、前記扉開閉感知センサ６１の感知機能は一時留保され、前面扉３を開扉しても前記扉開閉感知センサ６１は作動しない。このとき係員は、前記のとおり、海水販売機１の内部を点検したり、専用コインを回収できる。
【００２５】
前記制御手段５０は、▲１▼コイン投入口１１から投入される専用コインの枚数をカウントし、▲２▼前記コインユニット１０を構成しているコイン通路切換手段１２の通路の切換えを制御し、▲３▼前記販売状態表示手段２０の販売状態の表示制御を行い、▲４▼前記給水手段４０の前記給水弁４３並びに洗浄排水弁４４の開閉を制御し、さらに▲５▼前記防犯手段６０の制御を行なっている。
【００２６】
前記海水ろ過殺菌清浄装置７０は、上述のとおり、▲１▼海水ろ過殺菌清浄装置７０が故障しているとき；▲２▼海水ろ過殺菌清浄装置７０を構成する処理海水貯蓄タンクの水位が低下し所定量以上の海水がないとき；等には前記制御手段５０に販売中止信号を送出し、海水販売機１は海水の販売を中止する。
【００２７】
符号９１は自動点灯手段であり、周囲が暗くなると自動的にＯＮとなり点灯する。９２はスポットライトであり、夜間等に海水を購入する購入者の足下を照らす。９３は蛍光灯であり、海水販売機１の表面を照らす（図１参照）。９４はバランサであり、海水販売機１の給水ノズル９６を上方に留め、使用時には給水ノズル９６を手元まで下ろしてその高さを維持できるように形成されている（図２参照）。使用後は給水ノズル９６はスプリングにより上方に戻る。９５はフレキシブルホースである。給水ノズル９６は手動式のボール弁を備え、給水量を調節できる。海水を入れる容器９８を取り換えるときには、この給水ノズル９６を閉じれば給水は一時的に停止する。９７は支柱である。
【００２８】
ここで、図３、図４、図７乃至図９を用いて、海水販売機１の海水販売時及び自動洗浄時の各動作を説明する。
図７は、海水販売時のフローチャート、
図８は、海水販売時のタイムチャート
図９は、自動洗浄時のフローチャート、
図１０は、自動洗浄時のタイムチャートである。
【００２９】
（海水販売時の動作）
図３、図７及び図８において、海水販売機１が海水販売中にあるときに（コイン通路切換部１２が回収側に維持されているときに）、コイン投入口１１より投入されたコインが専用コインである場合には（Ｓ１０，Ｓ１１）、専用コインはコイン通路１６、回収側コイン通路１７Ａを通り、コイン選別部１３に検知され回収箱１４に導かれる（Ｓ１２，Ｓ１３）。
【００３０】
コイン選別部１３が専用コインを検知すると、給水量カウンタ２５は給水カウント量を表示する（Ｓ１４：図８の時点ａ）。なお、専用コインが続けて複数枚投入されると、１コイン当たり決められている給水カウント量は加算（積算）され枚数分のカウント量が給水カウンタ２５に表示される。さらに、海水購入者が操作手段３０を押圧操作すると給水表示部２４のランプが点灯し給水工程が始まったことを購入者に知らせる（Ｓ１５，Ｓ１６：図８の時点ｂ）。点灯後Ｔ１（１０秒）経過すると（Ｓ１７：図８の時点ｃ）、給水弁４３が徐々に開き海水販売機１は給水を開始する（Ｓ１８）［海水購入者が操作手段３０を押圧操作しても直ちには海水は給水されない。操作手段３０を押圧操作後１０秒経過して始めて海水を給水するようにして給水時の危険を回避している。］。その後給水弁４３が全開し海水が給水される（Ｓ１９）。
【００３１】
流量計４１は１リットル毎に１カウントの流量信号を検出して給水される海水量を計測し、その計測信号を制御手段５０に送出する（Ｓ２０）。すると、給水量カウンタ２５は、海水が１リットル出る毎にカウントを１ずつ減算し（Ｓ２１）、給水量カウンタ２５のカウントが”０”になると海水の給水は終了し（Ｓ２２：図８の時点ｄ）、給水表示部２４のランプは消灯し（Ｓ２３）、給水弁４３は全開状態から徐々に全閉状態に移行し（Ｓ２４）、海水の供給（給水）はストップして給水ノズル９６より海水は出なくなる（Ｓ２５）。
【００３２】
なお、コイン投入口１１から投入されるコインが専用コインでない場合は、コイン通路１６、返却側コイン通路１７Ｂを通り返却口１４に導かれる（Ｓ２６）。
【００３３】
（自動洗浄時の動作）
図４、図９及び図１０において、今、海水販売機１の販売可能ランプ２２が点灯し海水販売中にあるときに（Ｓ４０）、１日１回設定した洗浄開始時刻になると作動する洗浄排水用タイマ４２がＯＮになると（Ｓ４１）、内部配管の自動洗浄が開始される（Ｓ４２）。すなわち、洗浄排水用タイマ４２が送出する洗浄開始信号が制御手段５０に入力すると、制御手段５０は洗浄排水弁４４を”開”とする開命令信号を洗浄排水弁４４に送出する。洗浄排水弁４４が開成状態になると（Ｓ４３，Ｓ４４，Ｓ４５）、制御手段５０は給水弁４３を”開”とする開命令信号を出力し給水弁４３は開となる（Ｓ４６，Ｓ４７，Ｓ４８）。この状態で販売時の１割程度の海水を流して配管を洗浄するが、給水弁４３を通過した海水はさらに洗浄排水弁４４を通過し、排水管に導かれて外部に排出される（Ｓ４９）。設定された洗浄時間中はこの洗浄排水作業が継続して行なわれる（Ｓ５０）。
【００３４】
洗浄時間を経過すると、給水弁４３は閉じられ（Ｓ５１，Ｓ５２）、全閉状態になると（Ｓ５３）、今度は洗浄排水弁４４が閉じられ（Ｓ５４，Ｓ５５，Ｓ５６）、自動洗浄が終了し（Ｓ５７）、販売可能ランプ２２が点灯して海水販売が可能な状態に復帰する（Ｓ５８）。
【００３５】
【発明の効果】
本発明は以上の如く構成され、本発明によれば次の効果を奏する。
▲１▼所定量の清浄海水（殺菌海水や人工海水）を販売することが可能な海水販売機を提供できる。
▲２▼配管内部の自動洗浄を行って常にクリーンな海水を提供できる海水販売機が得られる。
【図面の簡単な説明】
【図１】  本発明に係る海水販売機の正面略図である。
【図２】  海水販売機の側面略図である。
【図３】  海水販売機の〃面扉を取払い、給水時の海水の流れを付記した海水販売機の正面略図である。
【図４】  海水販売機の前面扉を取払い、洗浄排水時の海水の流れを付記した海水販売機の正面略図である。
【図５】  海水販売機の前面パネルに組み込まれたコイユニット、販売状態表示手段、操作手段を示す拡大正面略図である。
【図６】  海水販売機の構成を示すブロック図である。
【図７】  海水販売時のフローチャートである。
【図８】  海水販売時のタイムチャートである。
【図９】  自動洗浄時のフローチャートである。
【図１０】  自動洗浄時のタイムチャートである。
【符号の説明】
１    海水販売機
１０  コインユニット
１１  コイン投入口
１２  コイン通路切換部
１３  コイン選別部
２０  販売状態表示手段
２１  販売可否情報部
２２  販売可能ランプ
２３  販売中止ランプ
２４  給水表示部
２５  給水量カウンタ
３０  操作手段
４０  給排水手段
４１  流量計
４２  洗浄排水用タイマ
４３  給水弁
４４  洗浄排水弁
５０  制御手段
６０  防犯手段
６１  扉開閉感知センサ
７０  海水ろ過殺菌清浄装置
【図１】
0003721470.tif 000002
【図２】
0003721470.tif 000003
【図３】
0003721470.tif 000004
【図４】
0003721470.tif 000005
【図５】
0003721470.tif 000006
【図６】
0003721470.tif 000007
【図７】
0003721470.tif 000008
【図８】
0003721470.tif 000009
【図９】
0003721470.tif 000010
【図１０】
0003721470.tif 000011